【手続補正書】
【提出日】平成25年8月9日(2013.8.9)
【手続補正１】
【補正対象書類名】特許請求の範囲
【補正対象項目名】全文
【補正方法】変更
【補正の内容】
【特許請求の範囲】
【請求項１】
単独で携帯型顕微鏡として機能するヘッドと機械的かつ電気的に接続される顕微鏡用スタンドであって、
前記ヘッドと機械的に接続するための第１の機械接続部と、
前記第１の機械接続部とは異なる位置に設けられ、前記ヘッドと電気的に接続するための第１の電気接続部と
を備え、
前記第１の機械接続部と前記第１の電気接続部の相対的な位置関係は、前記第１の機械接続部および前記第１の電気接続部と接続される、前記ヘッドの第２の機械接続部と第２の電気接続部の相対的な位置関係と同じとなっており、
前記ヘッドと前記スタンドとは、前記第１の機械接続部と前記第２の機械接続部とが所定方向に嵌合されることで機械的に接続されるとともに、前記第１の電気接続部と前記第２の電気接続部とが前記所定方向に嵌合されることで電気的に接続され、
前記ヘッドと前記スタンドの接続時において、前記所定方向は、前記携帯型顕微鏡に含まれる光学系の光軸と略平行であり、前記所定方向と垂直な前記ヘッドに形成された面が押し当てられて前記ヘッドを係止する、前記所定方向と垂直な当接面をさらに備え、
前記ヘッドは、前記ヘッドと前記スタンドの接続時において、前記第１の電気接続部が前記第２の電気接続部に前記所定方向に挿入可能な限度まで挿入される前に、前記当接面により係止される
ことを特徴とする顕微鏡用スタンド。
【請求項２】
前記第１の電気接続部は、前記第１の電気接続部と前記第１の機械接続部とが並ぶ方向であって、前記第１の機械接続部から、前記第２の機械接続部の前記方向の長さ以上の距離だけ離れた位置に配置されている
ことを特徴とする請求項１に記載の顕微鏡用スタンド。
【請求項３】
前記第１の電気接続部は、前記スタンドに対して前記所定方向と垂直な方向に可動する
ことを特徴とする請求項１または請求項２に記載の顕微鏡用スタンド。
【請求項４】
前記第１の機械接続部および前記第１の電気接続部が設けられ、接続された前記ヘッドを前記ヘッド内の前記光学系の光軸方向に移動させる保持部と、
観察対象が載置されるステージと
をさらに備え、
前記ヘッドは、前記ヘッドが前記ステージに最も近付いた状態となるように前記保持部を移動させた場合に、前記ヘッド内の前記光学系の焦点面が前記ステージの載置面の位置となるように、前記保持部に接続される
ことを特徴とする請求項１乃至請求項３の何れかに記載の顕微鏡用スタンド。
【請求項５】
顕微鏡用スタンドと機械的かつ電気的に接続され、前記スタンドに保持される携帯型顕微鏡であって、
前記スタンドと機械的に接続するための第１の機械接続部と、
前記第１の機械接続部とは異なる位置に設けられ、前記スタンドと電気的に接続するための第１の電気接続部と、
光学系と
を備え、
前記第１の機械接続部と前記第１の電気接続部の相対的な位置関係は、前記第１の機械接続部および前記第１の電気接続部と接続される、前記スタンドの第２の機械接続部と第２の電気接続部の相対的な位置関係と同じとなっており、
前記第１の機械接続部は、その長手方向が、前記光学系の光軸と略平行になるように形成され、
前記携帯型顕微鏡と前記スタンドとは、前記第１の機械接続部と前記第２の機械接続部とが前記長手方向に嵌合されることで機械的に接続されるとともに、前記第１の電気接続部と前記第２の電気接続部とが前記長手方向に嵌合されることで電気的に接続され、
前記携帯型顕微鏡と前記スタンドの接続時において、前記長手方向と垂直な前記スタンドに形成された面に押し当てられて前記携帯型顕微鏡を係止させる、前記長手方向と垂直な当接面をさらに備え、
前記携帯型顕微鏡は、前記携帯型顕微鏡と前記スタンドの接続時において、前記第１の電気接続部が前記第２の電気接続部に前記長手方向に挿入可能な限度まで挿入される前に、前記当接面により係止される
ことを特徴とする携帯型顕微鏡。
【請求項６】
前記第１の電気接続部は、前記第１の電気接続部と前記第１の機械接続部とが並ぶ方向であって、前記第１の機械接続部から、前記第２の機械接続部の前記方向の長さ以上の距離だけ離れた位置に配置されている
ことを特徴とする請求項５に記載の携帯型顕微鏡。
【請求項７】
前記第１の電気接続部は、前記携帯型顕微鏡に対して前記長手方向と垂直な方向に可動する
ことを特徴とする請求項５または請求項６に記載の携帯型顕微鏡。
【手続補正２】
【補正対象書類名】明細書
【補正対象項目名】発明の名称
【補正方法】変更
【補正の内容】
【発明の名称】顕微鏡用スタンドおよび携帯型顕微鏡
【手続補正３】
【補正対象書類名】明細書
【補正対象項目名】０００８
【補正方法】変更
【補正の内容】
【０００８】
本発明の顕微鏡用スタンドは、単独で携帯型顕微鏡として機能するヘッドと機械的かつ電気的に接続される顕微鏡用スタンドであって、前記ヘッドと機械的に接続するための第１の機械接続部と、前記第１の機械接続部とは異なる位置に設けられ、前記ヘッドと電気的に接続するための第１の電気接続部とを備え、前記第１の機械接続部と前記第１の電気接続部の相対的な位置関係は、前記第１の機械接続部および前記第１の電気接続部と接続される、前記ヘッドの第２の機械接続部と第２の電気接続部の相対的な位置関係と同じとなっており、前記ヘッドと前記スタンドとは、前記第１の機械接続部と前記第２の機械接続部とが所定方向に嵌合されることで機械的に接続されるとともに、前記第１の電気接続部と前記第２の電気接続部とが前記所定方向に嵌合されることで電気的に接続され、前記ヘッドと前記スタンドの接続時において、前記所定方向は、前記携帯型顕微鏡に含まれる光学系の光軸と略平行であり、前記所定方向と垂直な前記ヘッドに形成された面が押し当てられて前記ヘッドを係止する、前記所定方向と垂直な当接面をさらに備え、前記ヘッドは、前記ヘッドと前記スタンドの接続時において、前記第１の電気接続部が前記第２の電気接続部に前記所定方向に挿入可能な限度まで挿入される前に、前記当接面により係止されることを特徴とする。
【手続補正４】
【補正対象書類名】明細書
【補正対象項目名】０００９
【補正方法】変更
【補正の内容】
【０００９】
本発明の携帯型顕微鏡は、顕微鏡用スタンドと機械的かつ電気的に接続され、前記スタンドに保持される携帯型顕微鏡であって、前記スタンドと機械的に接続するための第１の機械接続部と、前記第１の機械接続部とは異なる位置に設けられ、前記スタンドと電気的に接続するための第１の電気接続部と、光学系とを備え、前記第１の機械接続部と前記第１の電気接続部の相対的な位置関係は、前記第１の機械接続部および前記第１の電気接続部と接続される、前記スタンドの第２の機械接続部と第２の電気接続部の相対的な位置関係と同じとなっており、前記第１の機械接続部は、その長手方向が、前記光学系の光軸と略平行になるように形成され、前記携帯型顕微鏡と前記スタンドとは、前記第１の機械接続部と前記第２の機械接続部とが前記長手方向に嵌合されることで機械的に接続されるとともに、前記第１の電気接続部と前記第２の電気接続部とが前記長手方向に嵌合されることで電気的に接続され、前記携帯型顕微鏡と前記スタンドの接続時において、前記長手方向と垂直な前記スタンドに形成された面に押し当てられて前記携帯型顕微鏡を係止させる、前記長手方向と垂直な当接面をさらに備え、前記携帯型顕微鏡は、前記携帯型顕微鏡と前記スタンドの接続時において、前記第１の電気接続部が前記第２の電気接続部に前記長手方向に挿入可能な限度まで挿入される前に、前記当接面により係止されることを特徴とする。